(57)【特許請求の範囲】
【請求項１】
ラッチ及びラッチの回動機構が内蔵された錠本体と、ハンドルと錠本体とをつなぐ角芯と、角芯の回動阻止部材を備えた錠前において、回動阻止部材は、平行方向に延びる二以上のガイド壁と、当該ガイド壁に沿って摺動すると共に、角芯と係脱して角芯の回動を阻止する当接部材を有し、当接部材は、二以上の当接片を組み合わせて構成され、角芯が係合可能な係合部を有するものであり、当該係合部に係合した角芯から回転力が加えられると当接片がガイド壁に対して垂直方向に分離して係合部が拡がり、前記当接片のそれぞれが前記ガイド壁に押圧されることを特徴とする錠前。
【請求項２】
当接部材には厚肉部があり、この厚肉部に係合部が設けられることを特徴とする請求項１に記載の錠前。
【請求項３】
ドアの表面及び裏面に固定されると共に、表面及び裏面が連結軸によって一体化される固定部材を有し、回動阻止部材は固定部材の少なくとも一方に内蔵され、連結軸の位置は、当接部材が角芯と係合した状態の時の当接部材とガイド壁との当接部位に隣接した位置であることを特徴とする請求項１又は２に記載の錠前。
【請求項４】
当接部材は、ガイド壁に沿って摺動すると共に当接部材と係合する摺動部材によって移動されることを特徴とする請求項１から３のいずれかに記載の錠前。
【発明の詳細な説明】
【０００１】
【発明の属する技術分野】
この発明は、ハンドルを両端部に取り付けた角芯が回動することにより、錠本体内からラッチが突出・退入する錠前に関し、詳しくは、角芯が回動しないようにして施錠する構造を頑丈にした錠前に関するものである。
【０００２】
【従来の技術】
錠前は、ドアの表裏面に接合する平板状の固定部材の間に錠本体を配置し、錠本体内からラッチが突出・退入するようにしたものである。ラッチは錠本体を貫通する角芯が回動することによって突出・退入する。角芯の両端部には握り玉やレバーハンドル等のハンドルが取り付けられ、ハンドルが回されて、ラッチが錠本体内に退入すると、開扉することができる。ハンドルが回されようとしても、ラッチが錠本体内に退入せず、突出した状態を維持すると、開扉することができず、施錠された状態となる。ラッチが錠本体から突出した状態を維持するため、施錠された状態において、角芯が回動しないようにした錠前がある。
【０００３】
この錠前は図５及び図６に示すように、ドア１００の表裏面を挟み、連結軸１０７によって一体化される２枚の板状の固定部材１０１，１０２を持つ。そしてこの固定部材１０１，１０２の間にラッチ及びラッチの回動機構（いずれも図示せず）が内蔵された錠本体（図示せず）が配置され、その錠本体を角芯１０３が貫通する一般的な構造をしている。角芯１０３の両端部にはハンドル１０４が取り付けられ、ハンドル１０４が回されることにより、錠本体内にラッチが退入し、開扉することができる。施錠するために、ラッチが錠本体から突出した状態を維持することができるように、室内側の固定部材１０１がドア１００と接合する面に、一対のガイド壁１０１ａが突設され、施錠するための固定盤１１０や当接部材１２０などが上側と下側とに収納される。
【０００４】
固定盤１１０は、図５に示すように角芯１０３が貫通する角孔１１１を穿設したハット形状であり、角孔１１１を回転軸に回動することができ、また図６に示すように鍔部の一部に回動しないようにするための角形の切欠部１１２を形成してある。当接部材１２０は一対のガイド壁１０１ａ間に挟まれて昇降動し、上端部に前記固定盤１１０の切欠部１１２に係入する凸部１２１を突設してある。当接部材１２０は、室内側の固定部材１０１の下側に配置した摘まみ１０５と同軸に連設されて連動する回動盤１３０が回動されることによって昇降動する。当接部材１２０と回動盤１３０とはつる巻バネ１３１によって係合され、つる巻バネ１３１によって当接部材１２０が下降した位置と上昇した位置とを維持することができるようされている。
【０００５】
当接部材１２０が下降した位置では、当接部材１２０の凸部１２１が固定盤１１０の切欠部１１２から外れ、解錠した状態となる。したがって、ハンドル１０４を回動すると、角芯１０３は固定盤１１０とともに回動することができ、ラッチが錠本体から退入するため、開扉することができる。摘まみ１０５が回されて、図６に示すように当接部材１２０の凸部１２１が固定盤１１０の切欠部１１２に係入すると、施錠される。すなわち、ハンドル１０４を回動しようとしても、角芯１０３が貫通している固定盤１１０は当接部材１２０の凸部１２１が切欠部１１２に係入していることによって回動することができず、角芯１０３も回動することができない。したがって、ラッチが錠本体内に退入することができず、施錠された状態となる。
【０００６】
【発明が解決しようとする課題】
施錠されている状態で、外側のハンドル１０４が勢いよく回されることがある。すると、ハンドル１０４を取り付けている角芯１０３が固定盤１１０に回転力を加える。この固定盤１１０の回転力は当接部材１２０の凸部１２１に押圧力を加え、その押圧力は反作用として固定盤１１０の切欠部１１２に反力を加える。
【０００７】
しかし固定盤１１０は、ハット形状に成形されるものであるから、加工しやすいように剛性が弱いものであり、施錠された状態でハンドル１０４が回動されて、切欠部１１２に押圧力や反力が加えられると、切欠部１１２が変形してしまう。切欠部１１２が変形すると、切欠部１１２と当接部材１２０の凸部１２１との間に隙間ができて、ガタツキが生じ、操作性が悪くなってしまう。最悪の場合は、切欠部１１２が完全に潰れてしまい、施錠することができなくなってしまうという課題があった。
【０００８】
そこで、この発明は角芯が回動しないようにして施錠する構造を頑丈にした錠前を提供することを目的とする。
【０００９】
【課題を解決するための手段】
上記の課題を解決するための錠前は、ラッチ及びラッチの回動機構が内蔵された錠本体と、ハンドルと錠本体とをつなぐ角芯と、角芯の回動阻止部材を備えた錠前において、回動阻止部材は、平行方向に延びる二以上のガイド壁と、当該ガイド壁に沿って摺動すると共に角芯の二以上の面と係脱する当接部材を有することを特徴とするものである。
【００１０】
上記の錠前によれば、回動阻止部材の当接部材が角芯から抜脱した状態となると、角芯が回動することができ、解錠した状態となり、回動部材の回動阻止部材の当接部材が角芯に係合した状態となると、角芯が回動することができず、施錠した状態となる。
【００１１】
上記の課題を解決するための別の錠前は、ラッチ及びラッチの回動機構が内蔵された錠本体と、ハンドルと錠本体とをつなぐ角芯と、角芯の回動阻止部材を備えた錠前において、回動阻止部材は、平行方向に延びる二以上のガイド壁と、当該ガイド壁に沿って摺動すると共に、角芯と係脱して角芯の回動を阻止する当接部材を有し、当接部材は、二以上の当接片を組み合わせて構成され、角芯が係合可能な係合部を有するものであり、当該係合部に係合した角芯から回転力が加えられると当接片がガイド壁に対して垂直方向に分離して係合部が拡がり、前記当接片のそれぞれが前記ガイド壁に押圧されることを特徴とするものである。
【００１２】
上記の錠前によれば、当接部材は角芯の当接面が異なる二以上の当接片を備える。そして施錠状態で角芯が回動されると、当接片は角芯との係合時に受ける回転力によって前記ガイド壁を押圧する。すなわち角芯の回動力は、当接片を介してガイド壁によって負荷される。ここでガイド壁は、高剛性に設計することが容易であるので、角芯の回動力に耐えることができる。なお当接部材には厚肉部があり、この厚肉部に係合部が設けてもよい。
【００１３】
上記の課題を解決するための上記の２つの錠前を発展させた錠前は、ドアの表面及び裏面に固定されると共に、表面及び裏面が連結軸によって一体化される固定部材を有し、回動阻止部材は固定部材の少なくとも一方に内蔵され、連結軸の位置は、当接部材が角芯と係合した状態の時の当接部材とガイド壁との当接部位に隣接した位置であることを特徴とするものである。
【００１４】
上記の錠前によれば、ガイド壁に沿って摺動する当接部材が、角芯と係合した状態の時の当接部材とガイド壁との当接部位に隣接して連結軸が位置するため、角芯を係合した当接部材が角芯から回転力を受けても、その回転力は連結軸に作用する。連結軸は表裏面の固定部材を一体化するものであるから、比較的剛性が強く、角芯からの回転力を受け止めることができ、ガイド壁が損傷することを防止することができる。
【００１５】
上記の課題を解決するための上記の３つの錠前を発展させた錠前は、当接部材は、ガイド壁に沿って摺動すると共に当接部材と係合する摺動部材によって移動されることを特徴とするものである。
【００１６】
上記の錠前によれば、当接部材はガイド壁に沿って摺動する摺動部材と係合するため、当接部材と摺動部材とが分割された状態となり、角芯から当接部材に加えられた回転力は摺動部材に伝わらなくなる。
【００１７】
【発明の実施の形態】
この発明の実施の形態を図１から図４を参照しながら説明する。図１は、この発明に係る錠前の解錠状態の正面図である。図２は、この発明に係る錠前の施錠状態の正面図である。図３は、この発明に係る錠前の要部斜視図である。図４は、この発明に係る錠前を構成するカバーの正面図である。なお、ここでは図面の上下の位置関係を実際の上下の位置関係として説明する。
【００１８】
この発明に係る錠前は、ドア（図示せず）と接合する固定部材１０がドアと接合する面に角芯１の回動阻止部材Ａを配置し、その回動阻止部材Ａは、二つのガイド壁１１，１２を平行に形成し、そのガイド壁１１，１２の間に当接部材２０を摺動可能に配置したことを特徴とするものである。ただし、当接部材２０がガイド壁１１，１２に密着すると、当接部材２０はガイド壁１１，１２間で摺動しにくくなり、操作性が低下する。したがって、当接部材２０とガイド壁１１，１２との間には、わずかな隙間を形成し、当接部材２０がスムーズにガイド壁１１，１２間で摺動することができるようにする。
【００１９】
当接部材２０は二つの凸字形状の当接片２１，２２をＨ字形状に組み合わせ、上向きのコ字形状の部分は角芯１を形脱するための係合部２３とする。この係合部２３は図３に示すように、厚肉部２４とし、角芯１を広い面積で二以上の面と係合することができるようにする。また、一方の当接片２１の膨出部には凹条２１ａを形成し、他方の当接片２２の膨出部には凸条２２ａを形成し、凹条２１ａと凸条２２ａとが係合する。当接片２１，２２は、ガイド壁１１，１２に沿った方向には一体的に移動し、ガイド壁１１，１２に対して垂直方向には分離可能である。従って当接片２１，２２は、ガイド壁１１，１２の間で、一体的のスライドする。一方、当接片２１，２２は、ガイド壁１１，１２に対して垂直方向に広がることが可能である。具体的には、当接片２１，２２は、係合部分を回転軸にして揺動する。
そうすることにより、係合部２３に係合した角芯１から係合部２３に回転力が加えられると、係合部２３が拡径方向に付勢される。
【００２０】
当接部材２０は摺動部材３０に連結されて昇降動する。当接部材２０の一方の当接片２１の下端部と、摺動部材３０の上端部とには、それぞれ凸部２１ｂ，３１と凹部２１ｃ，３２とを形成し、その凸部２１ｂ，３１と凹部２１ｃ，３２とを若干の遊びができるように係合して連結する。このように摺動部材３０と当接部材２０とを別体とすることにより、角芯１から当接部材２０の係合部２３に回転力が加えられ、当接部材２０の当接片２１，２２がわずかに揺動しても、その連結部分でモーメントが消滅し、一方の当接片２１と摺動部材３０との連結部が折損することを防止することができる。また連結部分でモーメントが消滅し、摺動部材３０にモーメントがかからないので、摺動部材３０とガイド壁１１との圧接が防止され、摺動部材３０の動作が円滑となる。
【００２１】
摺動部材３０も一方のガイド壁１１に摺動して昇降動する。このガイド壁１１は、固定部材１０の中央部に配置される回転軸４０の側方まで形成する。回転軸４０は摘まみ（図示せず）によって回動するもので、軸部４１にセクタ歯車４２を形成し、そのセクタ歯車４２と噛合するラック３３が摺動部材３０に形成される。したがって、回転軸４０が回転することにより、摺動部材３０がガイド壁１１，１２に沿って昇降動する。
【００２２】
また回転軸４０が回りすぎないようにするため、回転軸４０には切欠部４３を形成した円盤４４をセクタ歯車４２より固定部材１０側に形成する。この切欠部４３は固定部材１０に突設したストッパ１３に衝止して、回転軸４０が切欠部４３の間だけで回動することができるようにする。セクタ歯車４２を形成していない部分の回転軸４０には三角柱状の係止部４５を形成する。この係止部４５は、固定部材１０の内側の２か所に突設した突起１４，１４に係止される線条のバネ６１に係止して、摺動部材３０が押し上げられた位置及び押し下げられた位置で停止するようにする。
【００２３】
以上のように、ガイド壁１１，１２の間には当接部材２０、摺動部材３０及び回転軸４０が配置され、これらの部品は当接部材２０の厚肉部２４及び回転軸４０の軸部４１の突出した部分を除いて、ガイド壁１１，１２の表面と同一面となり、図４に示すようなカバー５０によって封止される。このカバー５０には当接部材２０の厚肉部２４や回転軸４０の軸部４１が突出することができるようにするための窓部５１が形成される。このカバー５０にはその他、小孔５２が穿設されている。
また固定部材１０は、従来技術と同様に扉の一方に配置され、図示しない固定部材が扉の反対面に配置され、連結軸６２によって両者が一体化される。なお、本実施形態では、連結軸６２は角芯１が貫通する部分のガイド壁１１，１２の外側に隣接した位置に配置して、角芯１を係合した当接部材２０の係合部２３に加えられた回転力が、この連結軸６２において受け止められるようにする。
【００２４】
この発明に係る錠前は以上のように構成し、つぎに使用方法について説明する。解錠状態においては、図１に示すように摺動部材３０が下側に位置し、摺動部材３０に連結されている当接部材２０も下側に位置する。したがって、当接部材２０の係合部２３は角芯１から抜脱し、ハンドル（図示せず）を回すことによって角芯１は回動することができる。角芯１が回動すると、ラッチが錠本体内に退入し、開扉することができる。下側に位置した摺動部材３０及び係合部２３は、回転軸４０に形成した係止部４５がバネ６１に係止しているため、その位置を維持し、上昇することはない。
【００２５】
施錠するときは摘まみをひねって回転軸４０を回すことにより、図２に示すように、回転軸４０のセクタ歯車４２と噛合している摺動部材３０を上昇させる。すると、摺動部材３０に連結された当接部材２０の係合部２３も上昇し、係合部２３が角芯１に係合する。上昇した摺動部材３０及び当接部材２０は、回転軸４０に形成した係止部４５がバネ６１に係止しているため、下降することなく、係合部２３に角芯１を係合した状態を維持する。係合部２３に係合された角芯１は回動することができないため、ラッチが錠本体内に退入することができず、施錠することができる。施錠されていることを知らない人が、室外のハンドルを勢いよく回しても、ハンドルを取り付けた角芯１は、当接部材２０の厚肉部２４に形成された係合部２３に係合し、当接部材２０がガイド壁１１，１２に挟まれているため、絶対に回動することがない。
【００２６】
しかも、角芯１を係合する当接部材２０の係合部２３は厚肉部２４に形成されるため、係合部２３が変形したりすることがない。特に本実施形態では、当接部材２０が、二つの当接片２１，２２によって構成され、両者は分離可能に係合しているため、角芯１の回動力によって当接片２１，２２は拡径方向に付勢され、ガイド壁１１，１２を押圧する。したがって角芯１の回動力は、直接的にガイド壁１１，１２によって負荷される。またさらに角芯１の回動力は、ガイド壁１１，１２から固定部材１０の全体に分散される。させにまた、角芯１の回転力によって、当接部材２０の当接片２１，２２が揺動しても、この当接片２１，２２とガイド壁１１，１２との当接部位に隣接した位置には連結軸６２が配置されている。したがって、揺動した当接片２１，２２はガイド壁１１，１２を介して連結軸６２で衝止された状態となって、ガイド壁１１，１２が損傷することがない。  したがって発明の錠前は、各部品が損傷が少ない。
【００２７】
なお、本発明は上記の実施の形態に限定するものではない。例えば、破損しないような強度を有する材質のものを使用すれば、二以上のガイド片に代えて一体の当接部材とすることや、当接部材と摺動部材とを一体化することも可能である。
【００２８】
【発明の効果】
請求項１に記載の発明によれば、施錠した状態では、角芯が当接部材の係合部に係合し、当接部材は二以上のガイド壁に挟まれるため、完全に回動することがない。しかも、係合部やガイド壁は変形することがないため、施錠する機能を長期間、維持することができる。
【００２９】
請求項２に記載の発明によれば、当接部材が二以上の当接片を備えたものとしたことにより、当接部材が破損することを防止することができる。また、請求項３に記載の発明によれば、当接部材が角芯と係合した状態の時のガイド壁に隣接して連結軸を配置したことにより、ガイド壁が破損することを防止することができる。さらに、請求項４に記載の発明によれば、当接部材が摺動部材によって移動するため、当接部材に加えられた力が摺動部材に加えられず、当接部材と摺動部材との連結部が破損することを防止することができる。このように請求項２から４に記載の錠前は長期間の使用を実現することができる。
【図面の簡単な説明】
【図１】  この発明に係る錠前の解錠状態の正面図である。
【図２】  この発明に係る錠前の施錠状態の正面図である。
【図３】  この発明に係る錠前の要部斜視図である。
【図４】  この発明に係る錠前を構成するカバーの正面図である。
【図５】  従来の錠前の側面図である。
【図６】  従来の錠前の正面図である。
【符号の説明】
Ａ          回動阻止部材
１          角芯
１０          固定部材
１１，１２    ガイド壁
２０          当接部材
２１，２２    当接片
２３          係合部
３０          摺動部材
６２          連結軸
【図１】
0003976838.tif 000002
【図２】
0003976838.tif 000003
【図３】
0003976838.tif 000004
【図４】
0003976838.tif 000005
【図５】
0003976838.tif 000006
【図６】
0003976838.tif 000007